(57)【特許請求の範囲】
【請求項１】
対向面にＮ本の走査電極とＭ本の信号電極を有する一対の基板間に液晶を挟持した液晶表示素子と互いに異なる複数の色の光を継時的に発光する光源を具備する液晶ディスプレイにおいて、
前記液晶は、第１の安定状態と、逆極性の電圧を印加した場合の第２の安定状態と、反強誘電性状態とを有する反強誘電性液晶であり、
前記光源の１つの色の光が発光する間（TS）に偶数の走査期間を有し、該走査期間のうち奇数番目の走査期間においては走査電極を１本目からＮ本目の方向に走査する正方向走査を行い、偶数番目の走査期間においては走査電極をＮ本目から１本目の方向に走査する逆方向走査を行うか、または前記奇数番目の走査期間においては走査電極をＮ本目から１本目の方向に走査する逆方向走査を行い、前記偶数番目の走査期間においては走査電極を１本目からＮ本目の方向に走査する正方向走査を行うように構成したことを特徴とする液晶ディスプレイ。
【発明の詳細な説明】
技術分野
本発明は、反強誘電性液晶を液晶層とするマトリックス状の画素を有する液晶表示パネルや液晶光シャッターアレイ等と、複数の色を発光することが可能な光源とを組み合わせた、反強誘電性液晶表示ディスプレイ及びその駆動方法に関する。
背景技術
液晶セルをシャッターとして用い、その背後に発光素子（例えばＬＥＤ，ＣＲＴ等）を設置して継時加法混合現象を用いてカラー表示を実現する方法が発表されている。例えばEurodisplay’84において発表されたPhlip Bos，Thomas Buzak Rolf Vatneらの7-9”4A Full-Color Field-Sequential Color Display”（1984/9/18-20）等が先行技術文献として上げられる。この表示方法はカラーフィルターのように、表示画素に各色のセグメントを分散して設けたものとは異なり、短時間に各色の照射を行うことによってカラー表示を行うものである。この方法に用いる液晶セルはモノクロ表示に用いるセルと同じ構成でよい。液晶セルの背後の発光素子が、例えばＲ（赤）、Ｇ（緑）、Ｂ（青）の３原色の光を発光し、それぞれある一定時間（ＴＳ）液晶セルに順次これらの光を照射する。即ち、Ｒ（赤）、Ｇ（緑）、Ｂ（青）の順に、それぞれの色の光を時間ＴＳづつ液晶セルに照射する。そして、これら３原色の照射を繰り返す。液晶セルはこの時間ＴＳに同期して各表示画素の光透過率を変化させる。即ち、表示される色の情報に応じて、Ｒ，Ｇ，Ｂの各光の透過率を液晶セルを駆動して決める。例えば、Ｒが時間ＴＳ発光している間は液晶セルの光透過率を５０％ととし、Ｇが時間ＴＳ発光している間は液晶セルの光透過率を７０％ととし、Ｂが時間ＴＳ発光している間は液晶セルの光透過率を９０％ととする。通常時間ＴＳは非常に短いため、それぞれの色は一つずつの色とは認識されず、それぞれの色の混色として人間には認識される。
このような方法を強誘電性液晶表示素子に応用した技術が、特開昭６３−８５５２３号公報、特開昭６３−８５５２４号公報、特開昭６３−８５５２５号公報に開示されている。しかし、このような方法を反強誘電性液晶表示素子に応用した具体的な駆動方法について開示した文献は見い出されていない。
反強誘電性液晶は充分な電界を印加すると強誘電性を示すが、外部からの電界等の影響がない状態では、強誘電性液晶と比較してその特性が大きく異なる。従って、反強誘電性液晶表示素子を駆動する場合、その特性を生かした駆動方法が必要となる。反強誘電性液晶を用いた液晶表示素子は日本電装（株）及び昭和シェル石油（株）の特開平２−１７３７２４号公報で、広視野角を有すること、高速応答が可能なこと、マルチプレックス特性が良好なこと等が報告されて以来、多くの研究がなされている。
発明の開示
前述した継時加法混合現象を用いたカラー表示をするために反強誘電性液晶を駆動する場合、液晶シャッターの背後に光源として配置された発光素子が一つの色を発光している時間を前述のようにＴＳとする。発光素子がＲ、Ｇ、Ｂを順次発光した場合、発光素子から発せられる光の色の変化がちらつきとなって人間の目に認識されないようにするためには、前記時間ＴＳを約２０ｍｓよりも短くする必要がある。
また、従来の反強誘電液晶の駆動方法によると、どの走査線上にその画素が位置するかによって、上記時間ＴＳに透過する光量が異なってくる。例えば、液晶表示画面全体を白表示とした場合を考えてみる。この場合表示される色は白であるから、Ｒ、Ｇ、Ｂの透過率がすべての画素で１００％ととなるよう液晶を駆動する。例えばＲが発光している時間ＴＳに、各走査電極にそれぞれ駆動電圧が印加される。なお、次の時間ＴＳにはＧが発光し、その次の時間ＴＳにはＢが発光し、それぞれの時間ＴＳに液晶が駆動され、所望の色（この場合は白色）が表示される。しかし、走査電極に後述の選択電圧が印加されるタイミングが少しづつずれてゆくため、Ｒが発光している時間ＴＳに、走査電極Ｘ1、Ｘ2、---Ｘｎに対応する画素がＲの光を透過する時間は少しづつ短くなってゆき、最後の走査電極上の画素においてはわずかな期間しかＲの光を透過しない。走査電極の位置によって画素が光を透過する時間、即ち、透過光量が異なると、画面全体を均一な輝度で表示できず、また色を制御できないため所望の色を表示できなくなる。例えば、最後の走査電極の画素はＲの光をわずかの時間しか透過しないので、Ｒの光量が少なくなり表示される色は白でなく別の色となってしまう。
本発明は上記問題点を解決し、ディスプレイ全体を均一な輝度で表示でき、かつ所望の色表示ができる、継時加法混合現象を用いた反強誘電性液晶ディスプレイ及びその駆動方法を提供するものである。
本発明反強誘電性液晶ディスプレイは、対向面にそれぞれ複数の走査電極と信号電極を有する一対の基板間に反強誘電性液晶を挟持した反強誘電性液晶表示素子と、互いに異なる複数の色の光を継時的に発光する光源を具備し、光源の１つの色の光が発光する間（ＴＳ）の走査期間を２つの期間に分け、第１の期間（ＳＣ１）は表示状態を決める選択期間と該選択期間で選択した表示状態を保持する非選択期間を有し、残りの期間である第２の期間（ＳＣ２）は表示状態を黒表示とする選択期間と該選択期間で選択した黒表示状態を保持する非選択期間を有している。
また、本発明反強誘電性液晶ディスプレイは、対向面にＮ本の走査電極とＭ本の信号電極を有する一対の基板間に反強誘電性液晶を挟持した反強誘電性液晶表示素子と互いに異なる複数の色の光を継時的に発光する光源を具備し、光源の１つの色の光が発光する間（ＴＳ）に偶数の走査期間を有し、該走査期間のうち奇数番目の走査期間においては走査電極を１本目からＮ本目の方向に走査する正方向走査を行い、偶数番目の走査期間においては走査電極をＮ本目から１本目の方向に走査する逆方向走査を行っている。また、その逆の走査を行っている。
さらに、本発明反強誘電性液晶ディスプレイは、光源の１つの色の光が発光する間（ＴＳ）に走査電極を１本目からＮ本目の方向に走査する正方向走査を行い、次に同じ色の光が発光する間（ＴＳ）に走査電極をＮ本目から１本目の方向に走査する逆方向走査を行い、前記正方向走査と逆方向走査を交互に繰り返すようにしている。
発明の効果
本発明の反強誘電性液晶ディスプレイ及びその駆動方法によれば、表示画面全体が輝度ムラのない均一な表示を行うことが出来る。また、色の制御が正確にできるので所望の色を表示することができる。
【図面の簡単な説明】
図１は、反強誘電性液晶セルと偏光板の構成図である。
図２は、反強誘電性液晶表示素子の印加電圧に対する光透過率の変化を示す図である。
図３は、マトリックス状に形成した走査電極と信号電極を示した図である。
図４は、従来の駆動法による、走査電極、信号電極、及び画素に印加される電圧波形と、それに対応する透過光量を示した図である。
図５は、従来の駆動法による、複数の走査電極に印加される電圧波形と、それに対応する透過光量を示した図である。
図６は、従来の駆動法により白表示を行った場合における、各走査電極上の画素の透過光量を表したグラフである。
図７は、本発明の実施の形態で用いる液晶ディスプレイの構成図である。
図８は、本発明反強誘電性液晶ディスプレイの駆動回路構成を示すブロック図である。
図９は、本発明の第１の実施形態における駆動波形と透過光量を示した図である。
図１０は、本発明の第１の実施形態における、より詳細な駆動波形と透過光量の関係を示したグラフである。
図１１は、本発明の第１の実施形態の駆動法により白表示を行った場合における、各走査電極上の画素の透過光量を表したグラフである。
図１２は、本発明の第２の実施形態における駆動波形と透過光量を示した図である。
図１３は、本発明の第２の実施形態の駆動法により白表示を行った場合における、各走査電極上の画素の透過光量を表したグラフである。
図１４は、本発明の第３の実施形態における駆動波形を示した図である。
図１５は、本発明の第３の実施形態の駆動法により白表示を行った場合における、各走査電極上の画素の透過光量を表したグラフである。
発明の詳細な説明
図１は反強誘電性液晶を液晶表示素子として用いる場合の偏光板の配置を示す図である。クロスニコルに合わせた偏光板１ａ、１ｂの間に、偏光板１ａの偏光軸ａと偏光板１ｂの偏光軸ｂのどちらかと電圧無印加時に於ける平均的な分子の長軸方向Ｘがほぼ平行になるように液晶セル２を置く。そして、電圧無印加時に黒が、電圧印加時には白が表示できるように液晶セルを設定する。
このような液晶セルに電圧を印加したとき、それに対する透過率変化をプロットしてグラフにすると図２のようなループを描く。電圧を印加し増加させたとき光透過率が変化し始める電圧値をＶ１、光透過率の変化が飽和する電圧値をＶ２、逆に電圧値を減少させたとき光透過率が減少し始める電圧値をＶ５、また逆極性の電圧を印加し、その絶対値を増加させたときに光透過率が変化し始める電圧値をＶ３、光透過率変化が飽和する電圧値をＶ４、逆に電圧の絶対値を減少させたとき光透過率が変化し始める電圧値をＶ６とする。図２に示されているように、前記印加された電圧値が反強誘電性液晶分子の閾値以上である場合に第１の強誘電性状態が選択される。また、反強誘電性液晶分子の閾値以上である逆極性の電圧が印加された場合は、第２の強誘電性状態が選択される。これらの強誘電性状態において、電圧値がある閾値より低くなった場合には反強誘電性状態が選択される。反強誘電性液晶ディスプレイは、反強誘電性状態で黒表示とすることも白表示とすることもできる。本発明ではそのいずれにも対応できる。しかし、以下このディスプレイは反強誘電性状態で黒表示するものとして説明する。
次に、反強誘電性液晶を用いた一般的な液晶の駆動方法について説明する。図３は走査電極と信号電極を基板上にマトリックス状に配置した液晶パネルの電極構成の例を示す図である。この電極構成は走査電極（Ｘ１、Ｘ２、Ｘ３，--Ｘｎ，--Ｘ80）および信号電極（Ｙ１、Ｙ２、Ｙ３，--Ｙｍ，--Ｙ220）を有し、走査電極と信号電極が交差する斜線部分が画素（Ａ11、Ａnm）である。これら画素に対応して走査電極へ１ラインずつ電圧が印加され、これに同期して信号電極から表示状態に応じた電圧波形が印加される。そして、信号電極と走査電極の電圧波形の合性波形に応じて表示が書き込まれる。
図４に示すように、走査電極（Ｘｎ）に走査電圧（ａ）を、信号電極（Ｙｍ）に信号電圧（ｂ）を印加し、その合成電圧（ｃ）を画素（Ａｎｍ）に印加することにより画素への書き込みが行われる。図４において、選択期間（Ｓｅ）で第１、もしくは第２の強誘電性状態、もしくは反強誘電性状態が選択され、その状態が次の非選択期間（ＮＳｅ）で保持される。即ち、選択期間（Ｓｅ）で選択パルスが印加され、その結果得た透過光量（透過率）（ｄ）をその後の非選択期間（ＮＳｅ）で保持させることにより表示を行っている。
反強誘電性液晶表示素子においては、画素に書き込みを行う直前に反強誘電性液晶を第１、又は第２の強誘電性状態、もしくは反強誘電性状態にリセットすることが一般に行われる。例えば図４では、選択期間（Ｓｅ）の直前にリセット期間（Ｒｅ）が設けられる。この期間内では画素に閾値電圧以下の電圧が印加され、反強誘電性液晶は反強誘電性状態にリセットされる。このように画素に必要な情報を書き込む直前に各画素の状態をリセットすることにより、以前の書き込み時の状態の影響を受けず、良好な表示を行うことが出来る。図４において、Ｆ１、Ｆ２、Ｆ３、Ｆ４はそれぞれ第１、第２、第３、第４フレームを表す。そして、第１、第２フレームでは白表示され、第３、第４フレームでは黒表示される。図に示されているように、通常はフレーム毎に極性が反転される。
前述した継時加法混合現象を用いたカラー表示をするため液晶を駆動する場合、液晶シャッターの背後に光源として配置された発光素子が一つの色を発光している時間を前述のようにＴＳとする。そして、時間ＴＳを約２０ｍｓより短くすれば、発光素子がＲ、Ｇ、Ｂを順次発光した場合、発光素子から発せられる光の色の変化がちらつきとなって人間の目に認識されない。
従来の反強誘電性液晶の駆動方法により上記継時加法混合現象を用いてカラー表示するため液晶を駆動すると、先に述べたようにどの走査線にその画素が位置するかによって、上記時間ＴＳに透過する光量が異なってくる。例えば、液晶表示画面全体を白表示とした場合を考えてみる。この場合表示される色は白であるから、Ｒ、Ｇ、Ｂの透過率がすべての画素で１００％ととなるよう液晶を駆動する。図５は、例えばＲが発光している時間ＴＳに、各走査電極に印加される電圧波形を示した図である。なお、次のＴＳにはＧが発光し、その次のＴＳにはＢが発光し、それぞれの期間ＴＳに液晶が駆動され、所望の色（この場合は白色）が表示される。図５に示された波形は、図４の期間Ｆ１に走査電極に印加される駆動波形と同じである。（Ｘ1）、（Ｘ2）、---（Ｘ80）はそれぞれ走査電極Ｘ1、Ｘ2、---Ｘ80に印加される電圧波形であり、（Ｔ1）、（Ｔ2）、---（Ｔ80）はそれぞれ走査電極Ｘ1、Ｘ2、---Ｘ80に対応する画素の光透過率の変化を示した波形である。図５からわかるように、Ｒが発光されている時間ＴＳに、走査電極Ｘ1、Ｘ2、---Ｘ80に対応する画素がＲの光を透過する時間は少しづつ短くなってゆき、（Ｔ80）では最後のわずかな期間に光を透過しているだけである。このように走査電極の位置によって液晶セルが光を透過する時間が異なると、色を制御できず、所望の色を表示できなくなる。例えば、図５のような場合、Ｘ80に対応する画素はＲの光をわずかの時間しか透過しないので透過光量は少なくなり、画素の輝度は低くなる。そのため画面全体を均一な輝度で表示できず、表示される色は白でなく別の色となってしまう。
図６は縦軸に走査電極の番地、横軸に白表示の場合の各走査電極上の画素の光の透過光量（透過時間）を示したグラフである。このグラフによると、走査電極が１、２、３、---７９、８０となるに従い各走査電極上の画素の透過光量は少なくなってゆくことがわかる。従って、図４に示す従来の反強誘電液晶の駆動方法によると、画素に対応する走査電極の位置によって、画素の透過光量が異なることが分かる。このように継時加法混合現象を用いた液晶表示素子において、従来の駆動方法を用いると、特に走査電極が多い場合、走査線毎に透過光量が異なるため、色を正確に制御することができなくなり、またディスプレイ全体を均一な輝度とした良好な表示を行うことが出来なくなる。
本発明は上記問題点を解決し、ディスプレイ全体を均一な輝度で表示し、かつ所望の色表示ができる、継時加法混合現象を用いた反強誘電性液晶ディスプレイ及びその駆動方法を提供するものである。
〔第１の実施の形態〕
以下本発明の実施の形態を図面に基づいて詳細に説明する。図７は本発明の実施の形態に用いた液晶パネル構成を示す図である。この実施例で用いた液晶パネルは約２μの厚さの反強誘電性液晶層１０を持つ一対のガラス基板１１ａ、１１ｂと２枚のガラスを張り合わせるためのシール材１２ａ、１２ｂとから構成されている。ガラス基板の対向面には電極１３ａ、１３ｂが形成されており、その上に高分子配向膜１４ａ、１４ｂが塗布され、ラビング処理がなされている。さらに一方のガラス基板の外側に偏光板の偏光軸とラビング軸とが平行になるように第１の偏光板１５ａが設置されており、他方のガラス基板の外側には第１の偏光板１５ａの偏光軸と９０°異なるようにして第２の偏光板１５ｂが設けられている。この液晶素子の裏側にはバックライト１６として３色（Ｒ，Ｇ，Ｂ）を発光するＬＥＤが設けられている。バックライト１６はＲ，Ｇ，Ｂの順序で点灯し、それぞれの点灯時間は約１６．７ｍｓである。
液晶パネルの電極構成は図３に示されたものと同じであり、走査電極と信号電極は図３のように配置されている。Ｘ１、Ｘ２、Ｘｎは走査電極であり、Ｙ１、Ｙ２、Ｙｍは信号電極である。それぞれが交差する斜線部分が画素（Ａ11、Ａnm）である。図３に示された電極構成においては、走査電極は８０本、信号電極は２２０本であるが、走査電極と信号電極の本数は任意に変更できる。
図８は反強誘電液晶ディスプレイの駆動回路構成を示すブロック図である。図の反強誘電液晶ディスプレイ２１において、走査信号が印加される走査電極は走査電極駆動回路２２に接続され、表示信号が印加される信号電極は信号電極駆動回路２３に接続される。走査電極駆動回路２２には電源回路２４から液晶ディスプレイの走査電極を駆動するために必要な電圧Ｖｘが供給され、信号電極駆動回路２３には電源回路２４から液晶ディスプレイの信号電極を駆動するために必要な電圧Ｖｙが供給される。制御回路２５は表示データ発生源２６からの信号に基づいて走査電極駆動回路２２及び信号電極駆動回路２３に信号を供給し、走査電極駆動回路２２及び信号電極駆動回路２３はそれぞれ与えられた信号に基づいて液晶ディスプレイ２１に電圧Ｖｘ、Ｖｙで構成される信号を供給する。
図９は本発明の第１の実施形態を示した図である。この実施形態は本発明反強誘電性液晶ディスプレイが白表示されるとき、時間ＴＳに走査電極（Ｘｎ）印加される電圧波形（ａ）、信号電極（Ｙｍ）に印加される電圧波形（ｂ）、それらが交差した画素（Ａｎｍ）に印加される合成駆動電圧波形（ｃ）、およびバックライトの透過光量（Ｔ）の変化（ｄ）を示した図である。本発明に用いた上記液晶駆動波形は、光の三原色の１つの色、例えばＲが発光している時間ＴＳの走査期間の波形であり、この走査期間は２つの期間から構成されている。第１の期間（ＳＣ１）は選択期間と非選択期間から構成され、選択期間（Ｓｅ）が２位相であり、残りが非選択期間（ＮＳｅ）となっている。また、第２の期間（ＳＣ２）も同じく選択期間（Ｓｅ）と非選択期間（ＮＳｅ）から構成され、選択期間（Ｓｅ）が２位相であり、残りが非選択期間（ＮＳｅ）となっている。１位相のパルス幅は約７０μｓに設定され、第１の期間（ＳＣ１）において、走査電極（Ｘｎ）には選択期間（Ｓｅ）の第１位相においては０Ｖの電圧値が、第２位相においては２０Ｖの電圧値のパルスが印加され、非選択期間（ＮＳｅ）に６Ｖの保持電圧が印加される。また第２の期間（ＳＣ２）において、走査電極（Ｘｎ）には選択期間（Ｓｅ）の第１位相においては０Ｖの電圧値が、第２位相においては−１２Ｖの電圧値のパルスが印加され、非選択期間（ＮＳｅ）に−６Ｖの保持電圧が印加される。信号電極（Ｙｍ）には±４Ｖの電圧波形が表示状態に応じて印加される。
上記駆動電圧波形において、図９に示されているように、第１の期間（ＳＣ１）の始まりには全ての画素を黒表示とするリセット期間（Ｒｓ）を設けてもよい。
図９に示された実施の形態においては、反強誘電性液晶ディスプレイが白表示されるときの駆動電圧波形と透過光量が示されている。この場合、第１の期間（ＳＣ１）に合成電圧波形（Ａｎｍ）として２４Ｖの電圧が選択期間（Ｓｅ）の第２位相において印加されるため（選択パルス）、反強誘電性液晶は第１の強誘電性状態となり、透過光量（Ｔ）は選択期間（Ｓｅ）で１００％近くに上昇する。非選択期間（ＮＳｅ）では反強誘電性液晶は強誘電性状態を保持され、透過率１００％が維持されるため白表示される。第２の期間（ＳＣ２）では選択期間（Ｓｅ）に合成電圧波形として第１位相において−４Ｖの電圧値が、そして第２位相において−８Ｖの電圧値が印加される。その結果、反強誘電性液晶は強誘電性状態から反強誘電性状態に移行し、透過光量は０％となり、黒表示となる。図９に示されているように、光、この場合はＲの光であるが、１００％透過する期間は第１の期間（ＳＣ１）となる。
図９は１本の走査電極に印加される電圧波形を示した図であるが、図１０は、本発明反強誘電性液晶ディスプレイが白表示されるとき、Ｒが発光している時間ＴＳに１本目、２本目、８０本目の走査電極Ｘ1、Ｘ2、Ｘ80のに印加される電圧波形（Ｘ1）、（Ｘ2）、（Ｘ80）、及びこれらの走査電極に対応するの画素の透過率の変化を示した波形（Ｔ1）、（Ｔ2）、（Ｔ80）を示した図である。図において、走査電極Ｘ1、Ｘ2、Ｘ80に印加される電圧波形は、図９の走査電極Ｘｎに印加される電圧波形（ａ）と同じであり、走査電極の数をＮとするとこの電圧波形は１／Ｎづつずれている。これら電圧波形（Ｘ1）、（Ｘ2）、（Ｘ80）は図９と同じく第１の期間（ＳＣ１）と第２の期間（ＳＣ２）に分かれている。走査電極Ｘ1の電圧波形（Ｘ1）は第１と第２の期間が時間ＴＳのほぼ中間で分かれている。しかし、走査電極Ｘ2とＸ80の電圧波形（Ｘ2）、（Ｘ80）は中間部に第１の期間ＳＣ１が位置し、その前後に第２の期間が位置している。その結果透過率の波形（Ｔ1）、（Ｔ2）、（Ｔ80）に示されているように、時間ＴＳにおいて透過率が１００％となる位置は異なるが、各走査電極に対応する画素の透過光量はすべて同じとなる。図１０では走査電極Ｘ1、Ｘ2、Ｘ80に対応する画素の透過率の波形（Ｔ1）、（Ｔ2）、（Ｔ80）を示したが、他の走査電極に対応する画素の透過率の波形はほぼ同じ形となり、従って透過光量もすべて同じとなる。
図１０に示されているように、本発明による駆動方法によると、ある色の発光素子が点灯している時間ＴＳ内に反強誘電性液晶が反強誘電状態（黒表示）となる期間（ＳＣ２）を設けている。そのため光が透過する第１の期間（ＳＣ１）は、図１０に示すように走査線毎に選択期間Ｓeの間隔づづずれていき、それと同時に光が透過しない第２の期間（黒表示）も走査線毎に移動していく。その結果、各走査線における画素において光が透過している期間は等しくなる。図９では、リセット期間Ｒsを設けたが、リセット期間Ｒsは設けても設けなくともよい。なお、図１０に示された走査電圧波形にはリセット期間Ｒsは設けられていない。本発明では反強誘電性液晶が反強誘電性状態となる第２の期間を期間ＴＳの一部に設ければよいが、上記第２の期間を期間ＴＳの１／２の長さに設定すると最も効果的である。
図１１は、上記本発明の液晶駆動方法を用いた場合、各走査電極上の画素の透過光量を示したグラフである。図１１のグラフにおいて、縦軸は走査電極の番地であり、横軸は白表示の場合において時間ＴＳの間に各走査電極上の画素を透過する光量を示している。背面の１つの色が発光している時間ＴＳは１６．７ｍｓとした。各走査電極上の画素が光を透過していた時間は全て約８．３ｍｓとなった。そのため、輝度むらの無い均一な輝度を有した表示画面、及び所望の色表示を得ることができた。
〔第２の実施の形態〕
第１の実施の形態においては、図４に示された液晶駆動波形と異なった駆動波形を用いた。しかし、図４に示された従来用いられている液晶駆動波形を用いて前記課題を解決することができる。
図１２は図４の２フレーム分の駆動波形を示した図である。この駆動波形は従来から用いられている駆動波形で、第１フレーム（Ｆ１）と第２フレーム（Ｆ２）の波形は同じで、極性が反転されている。図において、（ａ）は走査電極（Ｘｎ）に印加される電圧波形、（ｂ）は信号電極（Ｙｍ）に印加される電圧波形、（ｃ）は画素に印加される合成電圧波形である。そして、画素に印加される電圧波形によって、液晶の光透過率が変化する。この駆動波形は画面を白表示する場合の波形である。
本発明の第２の実施の形態では、１つの色（例えばＲ）が発光している間に図１２に示された駆動波形が液晶に印加される。その際、第１フレーム（Ｆ１）の走査期間においては、電圧波形（ａ）が第１本目の走査電極から順に第Ｎ本目の走査電極に１／Ｎづつずれて印加される。また、第２フレーム（Ｆ２）においては、電圧波形（ａ）が逆に第Ｎ本目の走査電極から順に第１本目の走査電極に１／Ｎづつずれて印加される。そのため、図６で説明したように、第１フレーム（Ｆ１）においては、走査電極が１、２、３、---となるに従い画素の透過光量が少なくなってゆく。一方、第２フレーム（Ｆ２）の走査期間においては、走査電極が１、２、３、---となるに従い画素の透過光量が多くなってゆく。従って、第１、第２フレーム（Ｆ１、Ｆ２）における各走査電極の透過光量を合計するとすべて同じ透過光量となる。その結果、表示画面は輝度ムラがなくなり均一な輝度となる。また、色を正確に制御できるので所望の色を表示できる。
図１３は図６と同じグラフを、第１フレーム（Ｆ１）及び第２フレーム（Ｆ２）について示した図である。このグラフは走査電極が８０本である場合を示しており、第１フレームにおいては矢印ｄｎに示すように１本目の走査電極から８０本目の走査電極に順次駆動電圧を印加し、第２フレームにおいては矢印ｕｐに示すように８０本目の走査電極から１本目の走査電極に順次駆動電圧を印加している。図１３に示すように、第１フレームにおいては１本目から８０本目の走査電極にゆくに従い、画素の透過光量が少なくってゆく。一方、第２フレームにおいては１本目から８０本目の走査電極にゆくに従い、画素の透過光量が多くなってゆく。この間発光している色はＲであり、次にＧが発光するときに同じ駆動波形が印加される。
図１２に示した第２の実施形態では１つの色が発光している間に２回の書き込みを行っている。しかし、２回に限らず液晶の応答速度に応じて書き込み回数を４回、６回、２Ｎ（Ｎ＝自然数）回と、偶数回とすることができる。
また上記説明では、第１フレーム（Ｆ１）の走査期間、即ち奇数番目の走査期間においては１本目の走査電極から第Ｎ本目の走査電極の順に走査電圧を印加し、第２フレーム（Ｆ２）の走査期間、即ち偶数番目の走査期間においてはＮ本目の走査電極から第１本目の走査電極の順に走査電圧を印加している。しかし、走査電圧の印加の順序を逆にしてもよい。
〔第３の実施形態〕
第２の実施形態では、１つの色が発光している期間ＴＳに複数フレーム分の駆動電圧波形を液晶に印加した。しかし、図１２に示した駆動波形を用いて、別の方法で前記課題を解決することができる。
図１４は本発明の第３の実施形態を示した図である。図１４は、図１２の各フレームの走査電極駆動電圧（ａ）と、その時発光している色（Ｒ、Ｇ、Ｂ）を示したものである。図１２に示されている表示電極に印加される波形（ｂ）、合成電圧波形（ｃ）、及び透過率の波形（ｄ）は省略してあるが、図１２に示された波形と同じである。第３の実施の形態においては、各フレームの期間は１つの色が発光する期間ＴＳとほぼ同じになっており、各フレームＦ１、Ｆ２、Ｆ３に対応して順次Ｒ、Ｇ、Ｂが発光する。ここで、Ｒが発光するフレームＦ１とＦ４に着目すると、矢印ｄｎで示すように、Ｆ１においては１本目から８０本目の走査電極に順次駆動電圧を印加し、矢印ｕｐで示すようにＦ４においては８０本目から１本目の走査電極に順次駆動電圧を印加する。
図１５は上記のように駆動電圧を印加した場合の、透過光量を示した図である。図１３に示されたグラフは、１つの色（例えばＲ）が発光している間に２フレーム分の駆動電圧を順序を変て走査電極に印加した場合の透過光量を示している。一方、図１５に示されたグラフは、１つの色（例えばＲ）が発光している間に１フレーム分の駆動電圧が印加される。しかし、同じ色（例えばＲ）については、１回目の発光のフレームと２回目の発光のフレームでは駆動電圧が走査電極に印加される順序を矢印ｄｎ及びｕｐに示すように変えている。従って、１回目のＲの発光フレーム（Ｆ１）と２回目のＲの発光フレーム（Ｆ２）、における各走査電極の画素の透過光量を合計するとすべて同じ透過光量となり、表示画面の輝度ムラがなくなり、かつ所望の色を表示できる。
【図１】
0004100719.tif 000002
【図２】
0004100719.tif 000003
【図３】
0004100719.tif 000004
【図４】
0004100719.tif 000005
【図５】
0004100719.tif 000006
【図６】
0004100719.tif 000007
【図７】
0004100719.tif 000008
【図８】
0004100719.tif 000009
【図９】
0004100719.tif 000010
【図１０】
0004100719.tif 000011
【図１１】
0004100719.tif 000012
【図１２】
0004100719.tif 000013
【図１３】
0004100719.tif 000014
【図１４】
0004100719.tif 000015
【図１５】
0004100719.tif 000016